(57)【要約】【課題】左右方向に隣り合う屋根瓦同士の上重ね部と下重ね部とが重なり合った部位における強度の確保ならびに防水効果の維持を実現することのできる、新しい屋根瓦の施工構造を提供する。【解決手段】左右方向に隣り合う屋根瓦（１）同士の左右側端の上重ね部（１１）と下重ね部（１２）とを重ね合わせるようにした屋根瓦（１）の施工構造であって、隣り合う一方の屋根瓦（１）の下重ね部（１２）を桟木（３）に載せ、当該桟木（３）に対して他方の屋根瓦（１）を下重ね部（１２）を通さずにネジ固定する。【選択図】　図１
2004052447.tif 000002
【特許請求の範囲】
【請求項１】
左右方向に隣り合う屋根瓦同士の左右側端の上重ね部と下重ね部とを重ね合わせるようにした屋根瓦の施工構造であって、隣り合う一方の屋根瓦の下重ね部を桟木に載せ、当該桟木に対して他方の屋根瓦を下重ね部を通さずにネジ固定したことを特徴とする屋根瓦の施工構造。
【請求項２】
一方の屋根瓦の下重ね部の先端が他方の屋根瓦の裏面に当接し、且つ当該他方の屋根瓦が下重ね部の載った桟木に当接する請求項１記載の屋根瓦の施工構造。
【請求項３】
前記他方の屋根瓦の桟木への当接は、屋根瓦の裏面に設けられたリブ部を介して行われる請求項２記載の屋根瓦の施工構造。
【発明の詳細な説明】
【０００１】
【発明の属する技術分野】
この出願の発明は、屋根瓦の施工構造に関するものである。さらに詳しくは、この出願の発明は、左右方向に隣り合う屋根瓦同士の左右側端の上重ね部と下重ね部とを重ね合わせる屋根瓦の施工に有用な、新しい屋根瓦の施工構造に関するものである。
【０００２】
【従来の技術】
従来、たとえば図３に例示したように、屋根瓦（１）は、野地板等の屋根下地材（２）上に所定間隔で配設された軒棟方向に伸びる桟木（３）に載置し、釘やネジで固定して施工されることがしばしばあり、このとき、左右方向に隣り合う屋根瓦（１）同士の隣接部分においては、当該部分の隙間から雨水等が侵入することを防止するために、屋根瓦（１）の左右両側端に上重ね部（１１）および下重ね部（１２）を設け、隣り合う一方の屋根瓦（１）の上重ね部（１１）と他方の屋根瓦（１）の下重ね部（１２）とを互いに重ね合わせるようにした施工構造が採用される場合がある。
【０００３】
【発明が解決しようとする課題】
しかしながら、上記のとおりの従来の屋根瓦（１）の施工構造にあっては、実用上以下のような改良すべき点があった。
【０００４】
すなわち、たとえば図４にも例示したように、上記のとおりに屋根瓦（１）の上重ね部（１１）と下重ね部（１２）とが重なり合った部位には、桟木（３）がなく、しっかりとした固定ができていなかったために、施工時に過って踏みつけて変形・破損が生じたり、また施工後においても反り等の熱変形が生じたりする恐れがあったのである。これでは、隣接部分の隙間が増大して、せっかくの防水効果が減損してしまう。
【０００５】
そこで、この出願の発明は、以上のとおりの事情に鑑み、左右方向に隣り合う屋根瓦（１）同士の上重ね部（１１）と下重ね部（１２）とが重なり合った部位における強度の確保ならびに防水効果の維持を実現することのできる、新しい屋根瓦の施工構造を提供することを課題としている。
【０００６】
【課題を解決するための手段】
この出願の発明は、上記の課題を解決するものとして、第１には、左右方向に隣り合う屋根瓦同士の左右側端の上重ね部と下重ね部とを重ね合わせるようにした屋根瓦の施工構造であって、隣り合う一方の屋根瓦の下重ね部を桟木に載せ、当該桟木に対して他方の屋根瓦を下重ね部を通さずにネジ固定したことを特徴とする屋根瓦の施工構造を提供する。
【０００７】
また、この出願の発明は、第２には、一方の屋根瓦の下重ね部の先端が他方の屋根瓦の裏面に当接し、且つ当該他方の屋根瓦が下重ね部の載った桟木に当接することを特徴とする屋根瓦の施工構造、第３には、前記他方の屋根瓦の桟木への当接は、屋根瓦の裏面に設けられたリブ部を介して行われることを特徴とする屋根瓦の施工構造を提供する。
【０００８】
【発明の実施の形態】
この出願の発明は、上記のとおりの特徴を有するものであるが、以下に図面に沿ってその実施の形態についてさらに詳しく説明する。
【０００９】
たとえば図１に例示したように、この出願の発明では、左右方向に隣り合う屋根瓦（１）同士の左右側端の上重ね部（１１）と下重ね部（１２）とを重ね合わせるようにした構造は従来（図３参照）のままであるが、この構造に対してさらに、隣り合う一方の屋根瓦（１）の下重ね部（１２）を桟木（３）に載せ、且つこの桟木（３）に対して他方の屋根瓦（１）を、桟木（３）に載せた下重ね部（１２）を通さずに、ネジ固定するようにしている。
【００１０】
図１の実施形態では、下重ね部（１２）の先端が桟木（３）に載っており、この下重ね部（１２）の先端よりもさらに外側の位置（上重ね部（１１）から見るとさらに内側の位置とも言える）にて隣の屋根瓦（１）の表面から桟木（３）へネジ（４）がねじ込まれている。下重ね部（１２）の桟木（３）への載置は、野地板等の屋根下地材（２）上にもともと所定間隔で配設されている桟木（３）を使用してもよいが、新たに別途の桟木（３）を下重ね部（１２）が載る位置に設けるようにしてもよい。下重ね部（１２）については、これら所定の桟木（３）上に接する長さ等の形状とする。
【００１１】
これにより、桟木（３）に支持された下重ね部（１２）の耐踏み割れ性や耐熱変形性が向上され、また桟木（３）へのネジ固定位置と先端部との距離が縮められた上重ね部（１１）の耐熱変形性も向上されて、上重ね部（１１）と下重ね部（１２）との重なり合い部位における強度確保ならびに防水効果維持を実現できるのである。
【００１２】
またさらに、たとえば図２に例示したように、下重ね部（１２）の先端が隣の屋根瓦（１）の裏面に当接し、且つその隣の屋根瓦（１）が下重ね部（１２）の載った桟木（３）に当接するような構造とすることで、破損・変形防止効果ならびに防水効果をさらに一層向上させることもできる。
【００１３】
この図２の実施形態では、下重ね部（１２）の先端部分から立上り部（１２１）が上方に伸び、その立上り部（１２１）が上重ね部（１１）の裏面に当接しており、また、上重ね部（１２）付近の裏面からはリブ部（１３）が垂下し、そのリブ部（１３）が桟木（３）の上面に当接している。
【００１４】
なお、以上のような屋根瓦（１）の施工構造にあっては、上重ね部（１１）・下重ね部（１２）による防水効果だけでなく、火災時における炎の侵入も抑えることができる。
【００１５】
もちろん、この出願の発明は以上の実施形態に限定されるものではなく、細部については様々な態様が可能である。
【００１６】
【発明の効果】
以上詳しく説明したとおり、この出願の発明によって、左右方向に隣り合う屋根瓦（１）同士の上重ね部（１１）と下重ね部（１２）とが重なり合った部位における強度、防水効果、防炎効果をより効果的に確保することのできる、新しい屋根瓦の施工構造が提供される。
【図面の簡単な説明】
【図１】この出願の発明の一実施形態を説明するための図である。
【図２】この出願の発明の別の一実施形態を説明するための図である。
【図３】従来の屋根瓦施工構造を説明するための図である。
【図４】従来の屋根瓦施工構造を説明するための別の図である。
【符号の説明】
１　屋根瓦
１１　上重ね部
１２　下重ね部
１２１　立上り部
１３　リブ部
２　屋根下地材
３　桟木
４　ネジ
【図１】
2004052447.tif 000003
【図２】
2004052447.tif 000004
【図３】
2004052447.tif 000005
【図４】
2004052447.tif 000006